(57)【要約】【課題】  搭載の向きの表示が難しい小型の形状で、たとえ逆向きに実装されても正常に動作する発振器を提供する。【解決手段】  電源端子とグランド端子が逆実装されても、発振器用ＩＣ７の電源接続端子に電源電圧が印加され、グランド接続端子をグランドレベルに保持するダイオードブリッジ回路と、外部出力イネーブル要求端子８と外部発振器出力端子２１が逆実装されても、発振器用ＩＣ７の入力端子に外部出力イネーブル要求信号が入力され、発振器用ＩＣ７の出力端子からの発振信号が出力される論理ブリッジ回路を有する発振器である。【選択図】        図１
2019068214.tif 000002
【特許請求の範囲】
【請求項１】
発振器用ＩＣを備え、電源端子と、グランド端子と、外部出力イネーブル要求端子と、外部発振器出力端子とを有する発振器であって、
前記外部出力イネーブル要求端子に入力側が接続し、前記発振器用ＩＣの外部出力イネーブル要求信号を入力する端子に出力側が接続する第１のハイイネーブル付きバッファと、
前記外部発振器出力端子に入力側が接続し、前記発振器用ＩＣの外部出力イネーブル要求信号を入力する端子に出力側が接続する第２のハイイネーブル付きバッファと、
前記発振器用ＩＣの発振信号を出力する端子に入力側が接続し、前記外部出力イネーブル要求端子に出力側が接続する第１のロウイネーブル付きバッファと、
前記発振器用ＩＣの発振信号を出力する端子に入力側が接続し、前記外部発振器出力端子に出力側が接続する第２のロウイネーブル付きバッファとを備え、
前記第１のハイイネーブル付きバッファがイネーブルに、前記第１のロウイネーブル付きバッファがディセーブルになるよう前記電源端子が接続され、
前記第２のハイイネーブル付きバッファがディセーブルに、前記第２のロウイネーブル付きバッファがイネーブルになるよう前記グランド端子が接続される論理ブリッジ回路を有することを特徴とする発振器。
【請求項２】
ユーザ基板へ逆実装となった場合には、電源端子がグランドに接続し、グランド端子が電源に接続して、第１のハイイネーブル付きバッファがディセーブルとなり、第１のロウイネーブル付きバッファがイネーブルとなり、第２のハイイネーブル付きバッファがイネーブルとなり、第２のロウイネーブル付きバッファがディセーブルとなり、
外部発振器出力端子から外部出力イネーブル要求信号を入力し、外部出力イネーブル要求端子から発振信号を出力することを特徴とする請求項１記載の発振器。
【請求項３】
発振器用ＩＣにおいて、電源が接続される端子と、グランドが接続される端子とが、ダイオードブリッジ回路を介して電源端子とグランド端子に接続されていることを特徴とする請求項１又は２記載の発振器。
【請求項４】
論理ブリッジ回路は、第１のハイイネーブル付きバッファの入力側に直列に第１の抵抗器が接続され、当該入力側に第２の抵抗器の一端が接続され、前記第２の抵抗器の他端が接地され、第２のハイイネーブル付きバッファの入力側に直列に第３の抵抗器が接続され、当該入力側に第４の抵抗器の一端が接続され、前記第４の抵抗器の他端が接地されていることを特徴とする請求項１乃至３のいずれか記載の発振器。
【請求項５】
ダイオードブリッジ回路と発振器用ＩＣとの間に、電圧を昇圧する昇圧部を設けたことを特徴とする請求項１乃至３のいずれか記載の発振器。
【発明の詳細な説明】
【技術分野】
【０００１】
本発明は、小型の発振器に係り、特に、搭載向きによらず正常動作する発振器に関する。
【背景技術】
【０００２】
［従来の技術］
発振器は、電子デバイスの小型化に伴い、ますます回路自体の小型化が要求されている。
また、従来、電源装置において、逆接続又は逆電圧に対して保護する回路がある。
【０００３】
［関連技術］
尚、関連する先行技術として、特開２０１１−２５９６２７号公報「電源逆接続保護回路」（特許文献１）、特開２０１０−０２１４３３号公報「電源装置及びそれを備えた照明システム」（特許文献２）がある。
【０００４】
特許文献１には、電子制御装置に対して外部直流電源が正常とは逆に接続された電源逆接続時を検出して、その電子制御装置を過電流から保護する電源逆接続保護回路が示されている。
【０００５】
特許文献２には、直列接続される複数の発光ダイオードに対する逆電圧の印加と、それに伴う発光ダイオードの発光不良の発生を制御する電源装置が示されている。
【先行技術文献】
【特許文献】
【０００６】
【特許文献１】特開２０１１−２５９６２７号公報
【特許文献２】特開２０１０−０２１４３３号公報
【発明の概要】
【発明が解決しようとする課題】
【０００７】
しかしながら、従来の発振器では、小型化に伴い、向きの表示が困難になっており、更に、小型化によって基板搭載時の方向が分かりにくく、逆向きで搭載される恐れがあり、逆向きに搭載されると、焼損、不良の原因となるという問題点があった。
【０００８】
特許文献１，２には、逆接続又は逆電圧に対する保護回路は記載されているものの、発振器に適用して逆向きの搭載であっても正常動作する制御を行うことまでは記載がない。
【０００９】
本発明は上記実情に鑑みて為されたもので、搭載の向きの表示が難しい小型の形状で、たとえ逆向きに実装されても正常に動作する発振器を提供することを目的とする。
【課題を解決するための手段】
【００１０】
上記従来例の問題点を解決するための本発明は、発振器用ＩＣを備え、電源端子と、グランド端子と、外部出力イネーブル要求端子と、外部発振器出力端子とを有する発振器であって、外部出力イネーブル要求端子に入力側が接続し、発振器用ＩＣの外部出力イネーブル要求信号を入力する端子に出力側が接続する第１のハイイネーブル付きバッファと、外部発振器出力端子に入力側が接続し、発振器用ＩＣの外部出力イネーブル要求信号を入力する端子に出力側が接続する第２のハイイネーブル付きバッファと、発振器用ＩＣの発振信号を出力する端子に入力側が接続し、外部出力イネーブル要求端子に出力側が接続する第１のロウイネーブル付きバッファと、発振器用ＩＣの発振信号を出力する端子に入力側が接続し、外部発振器出力端子に出力側が接続する第２のロウイネーブル付きバッファとを備え、第１のハイイネーブル付きバッファがイネーブルに、第１のロウイネーブル付きバッファがディセーブルになるよう電源端子が接続され、第２のハイイネーブル付きバッファがディセーブルに、第２のロウイネーブル付きバッファがイネーブルになるようグランド端子が接続される論理ブリッジ回路を有することを特徴とする。
【００１１】
本発明は、上記発振器において、ユーザ基板へ逆実装となった場合には、電源端子がグランドに接続し、グランド端子が電源に接続して、第１のハイイネーブル付きバッファがディセーブルとなり、第１のロウイネーブル付きバッファがイネーブルとなり、第２のハイイネーブル付きバッファがイネーブルとなり、第２のロウイネーブル付きバッファがディセーブルとなり、外部発振器出力端子から外部出力イネーブル要求信号を入力し、外部出力イネーブル要求端子から発振信号を出力することを特徴とする。
【００１２】
本発明は、上記発振器において、発振器用ＩＣでは、電源が接続される端子と、グランドが接続される端子とが、ダイオードブリッジ回路を介して電源端子とグランド端子に接続されていることを特徴とする。
【００１３】
本発明は、上記発振器において、論理ブリッジ回路が、第１のハイイネーブル付きバッファの入力側に直列に第１の抵抗器が接続され、当該入力側に第２の抵抗器の一端が接続され、第２の抵抗器の他端が接地され、第２のハイイネーブル付きバッファの入力側に直列に第３の抵抗器が接続され、当該入力側に第４の抵抗器の一端が接続され、第４の抵抗器の他端が接地されていることを特徴とする。
【００１４】
本発明は、上記発振器において、ダイオードブリッジ回路と発振器用ＩＣとの間に、電圧を昇圧する昇圧部を設けたことを特徴とする。
【発明の効果】
【００１５】
本発明によれば、外部出力イネーブル要求端子に入力側が接続し、発振器用ＩＣの外部出力イネーブル要求信号を入力する端子に出力側が接続する第１のハイイネーブル付きバッファと、外部発振器出力端子に入力側が接続し、発振器用ＩＣの外部出力イネーブル要求信号を入力する端子に出力側が接続する第２のハイイネーブル付きバッファと、発振器用ＩＣの発振信号を出力する端子に入力側が接続し、外部出力イネーブル要求端子に出力側が接続する第１のロウイネーブル付きバッファと、発振器用ＩＣの発振信号を出力する端子に入力側が接続し、外部発振器出力端子に出力側が接続する第２のロウイネーブル付きバッファとを備え、第１のハイイネーブル付きバッファがイネーブルに、第１のロウイネーブル付きバッファがディセーブルになるよう電源端子が接続され、第２のハイイネーブル付きバッファがディセーブルに、第２のロウイネーブル付きバッファがイネーブルになるようグランド端子が接続される論理ブリッジ回路を有する発振器としているので、ユーザ基板へ逆実装となって、電源端子がグランドに接続し、グランド端子が電源に接続しても、正常に動作し、搭載の向きに依存せず実装できる効果がある。
【図面の簡単な説明】
【００１６】
【図１】第１の発振器の回路構成図である。
【図２】第１の発振器の表面の概略図である。
【図３】第２の発振器の回路構成図である。
【発明を実施するための形態】
【００１７】
本発明の実施の形態について図面を参照しながら説明する。
［実施の形態の概要］
本発明の実施の形態に係る発振器は、電源電圧に接続する端子とグランドレベルに接続する端子が逆実装されても、発振器用ＩＣの電源接続端子に電源電圧が印加され、グランド接続端子をグランドレベルに保持するダイオードブリッジ回路と、発振器用ＩＣに入力される外部出力イネーブル要求信号が入力される端子と発振器用ＩＣからの発振信号が出力される端子が逆実装されても、発振器用ＩＣに外部出力イネーブル要求信号が入力され、発振器用ＩＣから発振信号が出力される論理ブリッジ回路を有するものとしているので、発振器の向きに依存しないでユーザ基板に搭載して正常に動作させることができるものである。
【００１８】
［本発振器：図１］
本発明の実施の形態に係る発振器（本発振器／第１の発振器）について図１を参照しながら説明する。図１は、第１の発振器の回路構成図である。
本発振器（第１の発振器）は、図１に示すように、ダイオードブリッジ回路と、発振器用ＩＣ（Integrated Circuit）７と、論理ブリッジ回路とを基本的に有している。
本発振器は、設置の向きを１８０°回転させてユーザの基板に設置したとしても、誤動作することなく正常に動作するようにしたものである。
【００１９】
［各部：図１］
本発振器の各部について具体的に説明する。
［ダイオードブリッジ回路］
ダイオードブリッジ回路は、外部電源供給端子１と、ダイオード２，３，４，５と、グランド端子６とを備え、ダイオードを用いたブリッジ回路となっている。
【００２０】
ダイオードブリッジ回路の接続関係は、図１に示すように、外部電源供給端子（Ｖcc）１が、分岐して一方がダイオード２のアノードに接続し、分岐した他方がダイオード４のカソードに接続している。
また、グランド端子（ＧＮＤ）６は、分岐して一方がダイオード３のアノードに接続し、分岐した他方がダイオード５のカソードに接続している。
【００２１】
そして、ダイオード２のカソードとダイオード３のカソードが接続し、発振器用ＩＣ（ＯＳＣ−ＩＣ）７の電源接続端子（Ｉ＿Ｖcc）に接続している。
また、ダイオード４のアノードとダイオード５のアノードとが接続し、発振器用ＩＣ７のグランド接続端子（Ｉ＿ＧＮＤ）に接続すると共にグランド端子（Ｇ）に分岐して接続している。
更に、発振器用ＩＣ７の入力端子（Ｉ＿ＥＮ）と出力端子（Ｉ＿ＯＵＴ）が、論理ブリッジ回路に接続している。
【００２２】
ここで、ダイオードブリッジ回路は、外部電源供給端子１に電源電圧が印加され、外部グランド端子６がグランドレベルであるとすると、電源電圧はダイオード２を介して発振器用ＩＣ７の電源接続端子に供給され、発振器用ＩＣ７のグランド接続端子がダイオード５を介して外部グランド端子６に接続してグランドレベルに保たれる。
【００２３】
また、本発振器を１８０°回転させて逆向きに搭載した場合には、外部電源供給端子１が外部グランド端子になり、外部グランド端子６が外部電源供給端子となる。この場合、電源電圧がダイオード３を介して発振器用ＩＣ７の電源接続端子に供給され、発振器用ＩＣ７のグランド接続端子がダイオード４を介して外部グランド端子の役割の外部電源供給端子１に接続してグランドレベルに保たれる。
【００２４】
［発振器用ＩＣ７］
発振器用ＩＣ７は、電源接続端子（Ｉ＿Ｖcc）に外部からの電源電圧が入力され、グランド接続端子（Ｉ＿ＧＮＤ）が外部のグランド端子（Ｇ）に接続され、グランドレベルに維持される。
また、発振器用ＩＣ７の入力端子（Ｉ＿ＥＮ）は、論理ブリッジ回路から外部出力イネーブル要求信号を入力し、出力端子（Ｉ＿ＯＵＴ）は、論理ブリッジ回路に発振信号を出力する。
つまり、発振器用ＩＣ７は、入力端子に外部出力イネーブル要求信号が入力されると、出力端子から発振信号を出力するようになっている。
【００２５】
［論理ブリッジ回路］
論理ブリッジ回路は、本発振器をユーザ基板に正常に配置した場合には、外部出力イネーブル要求端子（ＥＮ）８から外部出力イネーブル要求信号を入力し、外部発振器出力端子（ＯＵＴ）２１から発振信号を出力する。
【００２６】
また、論理ブリッジ回路は、本発振器をユーザ基板に１８０°回転させて逆向きに配置した場合には、外部発振器出力端子２１が外部出力イネーブル要求端子（ＥＮ）となって外部出力イネーブル要求信号を入力し、外部出力イネーブル要求端子８が外部発振器出力端子（ＯＵＴ）となって発振信号を出力して、正常に動作するものである。
【００２７】
ここで、ダイオードブリッジ回路の外部電源供給端子１と、論理ブリッジ回路の外部電源供給端子２２とは、共通の端子で連動しており、また、ダイオードブリッジ回路の外部グランド端子１と、論理ブリッジ回路の外部グランド端子２３とは、共通の端子で連動している。
【００２８】
更に、外部電源供給端子２２と外部グランド端子２３の役割とが、本発振器を逆向きに設置することで入れ替わった場合に、外部出力イネーブル要求端子８と外部発振器出力端子２１の役割が連動して入れ替わるものである。
【００２９】
論理ブリッジ回路は、外部出力イネーブル要求端子（ＥＮ）８が分岐して、一方が抵抗器９を介してハイイネーブル付きバッファ１１の入力側に接続し、他方がロウイネーブル付きバッファ１５の出力側に接続している。
抵抗器９とハイイネーブル付きバッファ１１の入力側との間に、抵抗器１０の一端が接続され、抵抗器１０の他端がグランド（Ｇ）に接続されている。
【００３０】
また、論理ブリッジ回路の外部発振器出力端子（ＯＵＴ）２１が分岐して、一方が抵抗器１３を介してハイイネーブル付きバッファ１２の入力側に接続し、他方がロウイネーブル付きバッファ１８の出力側に接続している。
抵抗器１３とハイイネーブル付きバッファ１２の入力側との間に、抵抗器１４の一端が接続され、抵抗器１４の他端がグランド（Ｇ）に接続されている。
【００３１】
ハイイネーブル付きバッファ１１の出力側とハイイネーブル付きバッファ１２の出力側とが接続し、発振器用ＩＣ７の入力端子（Ｉ＿ＥＮ）に接続している。
また、ロウイネーブル付きバッファ１５の入力側とロウイネーブル付きバッファ１８の入力側とが接続し、発振器用ＩＣ７の出力端子（Ｉ＿ＯＵＴ）に接続している。
【００３２】
ハイイネーブル付きバッファ１１のハイイネーブル端子とロウイネーブル付きバッファ１５のロウイネーブル端子には、抵抗器１６を介して外部電源供給端子（Ｖcc）２２が接続されている。
ハイイネーブル端子及びロウイネーブル端子と抵抗器１６との間に、抵抗器１７の一端が接続され、抵抗器１７の他端がグランド（Ｇ）に接続されている。
【００３３】
ハイイネーブル付きバッファ１２のハイイネーブル端子とロウイネーブル付きバッファ１８のロウイネーブル端子には、抵抗器１９を介して外部グランド端子（ＧＮＤ）２３が接続されている。
ハイイネーブル端子及びロウイネーブル端子と抵抗器１９との間に、抵抗器２０の一端が接続され、抵抗器２０の他端がグランド（Ｇ）に接続されている。
【００３４】
［論理ブリッジ回路の動作］
ここで、ハイイネーブル付きバッファ１１，１２とロウイネーブル付きバッファ１５，１８の動作と、論理ブリッジ回路の動作について説明する。
外部電源供給端子２２に電源電圧が印加されると、ハイイネーブル付きバッファ１１がイネーブルとなり、外部出力イネーブル要求端子８からの入力信号（外部出力イネーブル要求信号）がハイイネーブル付きバッファ１１を介して発振器用ＩＣ７の入力端子（Ｉ＿ＥＮ）に出力され、ロウイネーブル付きバッファ１５がディセーブルとなり、ロウイネーブル付きバッファ１５から信号が出力されない。
【００３５】
外部グランド端子２３がグランドレベルに接続されると、ハイイネーブル付きバッファ１４がディセーブルとなり、ハイイネーブル付きバッファ１２から信号が出力されず、ロウイネーブル付きバッファ１８がイネーブルとなり、発振器用ＩＣ７の出力端子（Ｉ＿ＯＵＴ）からの出力信号（発振信号）がロウイネーブル付きバッファ１８を介して外部発振器出力端子２１に出力される。
【００３６】
仮に、本発振器の設置の向きが逆となると、外部出力イネーブル要求端子８が外部発振器出力端子の役割となり、外部発振器出力端子２１が外部出力イネーブル要求端子の役割となり、更に、外部電源供給端子２２がグランドレベル（ＧＮＤ）となり、外部グランド端子２３に電源電圧（Ｖcc）が印加されることになる。
【００３７】
この場合には、ハイイネーブル付きバッファ１１がディセーブルとなり、ロウイネーブル付きバッファ１５がイネーブルになり、ハイイネーブル付きバッファ１２がイネーブルとなり、ロウイネーブル付きバッファ１８がディセーブルとなる。
【００３８】
つまり、本発振器の設置の向きが逆になると、外部発振器出力端子２１が外部出力イネーブル要求端子となって、外部出力イネーブル要求信号を、ハイイネーブル付きバッファ１２を介して発振器用ＩＣ７の入力端子（Ｉ＿ＥＮ）に入力する。
また、外部出力イネーブル要求端子８が外部発振器出力端子となって、発振器用ＩＣ７の出力端子（Ｉ＿ＯＵＴ）からの発振信号を、ロウイネーブル付きバッファ１５を介して外部出力イネーブル要求端子８に出力する。
【００３９】
［本発振器の表面：図２］
本発振器（第１の発振器）の電極の位置について図２を参照しながら説明する。図２は、第１の発振器の表面の概略図である。
本発振器は、表面から見て、左上端に外部電源供給端子（Ｖcc）１が、右下端に外部グランド端子（ＧＮＤ）６が、左下端に外部出力イネーブル要求端子（ＥＮ）８が、右上端に外部発振器出力端子（ＯＵＴ）２１が設けられている。
【００４０】
つまり、外部電源供給端子１とグランド端子６とは、対角上に位置し、また、外部出力イネーブル要求端子８と外部発振器出力端子２１とは、対角上に位置している。
尚、表面の中心点に対して、外部電源供給端子１とグランド端子６を、また、外部出力イネーブル要求端子８と外部発振器出力端子２１を、点対称の位置に設けてもよい。
【００４１】
図２に示すような電極の位置の構成をすることで、本発振器を１８０°回転させてユーザの基板に配置したとしても、外部電源供給端子１と外部グランド端子６が入れ替わり、同時に、外部出力イネーブル要求端子８と外部発振器出力端子２１が入れ替わることになる。
【００４２】
［本発振器の動作］
次に、本発振器の動作について図１を参照しながら説明する。
［ダイオードブリッジ回路での動作］
外部電源供給端子１からの電源電圧は、ダイオード２を経由して発振器用ＩＣ７の電源接続端子に供給され、発振器用ＩＣ７のグランド接続端子はダイオード５を経由して外部グランド端子６に接続されることになる。
【００４３】
ここで、外部グランド端子６が外部電源供給端子１と位置が入れ替わった場合には、ダイオード３を経由して発振器用ＩＣ７の電源接続端子に電源電圧が供給され、外部電源供給端子１が外部グランド端子６と位置が入れ替わった場合には、発振器用ＩＣ７のグランド接続端子がダイオード４を経由してグランドレベルとなる。
このように本発振器の配置の向きが逆になっても、発振器用ＩＣ７の電源接続端子には電源電圧が供給され、グランド接続端子はグランドレベルに保たれることになる。
【００４４】
［論理ブリッジ回路での動作］
外部出力イネーブル要求端子８は、外部電源供給端子２２に電源電圧が供給された場合に、ハイイネーブル付きバッファ１１がイネーブルになり、ロウイネーブル付きバッファ１５がディセーブルとなる。
また、外部グランド端子２３がグランドレベルの時は、ロウイネーブル付きバッファ１８がイネーブルとなり、ハイイネーブル付きバッファ１２がディセーブルとなり、発振器用ＩＣ７の出力端子からの発振信号が外部発振器出力端子２１に出力されることになる。
【００４５】
ここで、外部出力イネーブル要求端子８が外部発振器出力端子２１と位置が入れ替わった場合には、外部電源供給端子２２がグランドレベルとなり、ロウイネーブル付きバッファ１５がイネーブルになり、ハイイネーブル付きバッファ１１がディセーブルとなり、外部出力イネーブル要求端子８が外部発振器出力端子になり、外部グランド端子２３に電源電圧が供給された場合に、ハイイネーブル付きバッファ１２がイネーブルとなり、ロウイネーブル付きバッファ１８がディセーブルとなり、外部発振器出力端子２１に外部出力イネーブル要求信号が入力される。
【００４６】
すなわち、本発振器では、１８０°逆実装があったとしても、発振器用ＩＣ７の電源供給、その他の信号の向きは常に一定となるものである。
尚、ハイイネーブル付きバッファ１１，１２と、ロウイネーブル付きバッファ１５，１８の電源は、発振器用ＩＣ７の電源と共通である。
【００４７】
また、外部電源供給端子２２と外部出力イネーブル要求端子８にかかる電圧が、ハイイネーブル付きバッファ１１，１２とロウイネーブル付きバッファ１５，１８の動作電圧より、ダイオード２，５又はダイオード３，４による電圧降下分、高い電圧となるため、抵抗器９，１０，１６，１７は、過電圧保護用の抵抗器の役割を果たすものである。
同様に、１８０°逆実装時には、外部グランド端子２３と外部発振器出力端子２１に過電圧がかかることになるため、抵抗器１３，１４，１９，２０は、過電圧保護用の抵抗器の役割を果たすものである。
【００４８】
［第２の実施の形態：図３］
次に、別の実施の形態に係る発振器（別の発振器／第２の発振器）について図３を参照しながら説明する。図３は、第２の発振器の回路構成図である。
第２の発振器は、図３に示すように、ダイオードブリッジ回路と発振器用ＩＣ７との間に昇圧部３０を挿入配置して、電圧を昇圧して発振器用ＩＣ７に入力している。
従って、発振器用ＩＣ７は、昇圧された電圧を電源として用いて動作するものである。
【００４９】
それによって、第１の発振器では、論理ブリッジ回路で抵抗器９，１０，１３，１４を挿入して分圧して電圧を下げて外部出力イネーブル要求信号を発振器用ＩＣ７に入力していたが、第２の発振器では、分圧して電圧を下げて発振器用ＩＣ７に入力する必要がないため、抵抗器９，１０，１３，１４が不要となる。
つまり、第２の発振器は、図３に示すように、昇圧部３０を設け、図１の構成から抵抗器９，１０，１３，１４を取り除いた構成である。
【００５０】
本発振器では、ダイオードブリッジ回路を発振器用ＩＣ７の電源接続端子とグランド接続端子に接続することで、外部電源供給端子１と外部グランド端子６の位置が逆になったとしても、正常に動作するため、発振器の配置の向きを考慮することなく実装できる。
【００５１】
また、発振器用ＩＣ７からの発振信号と、発振器用ＩＣ７への外部出力イネーブル要求信号とが、論理ブリッジ回路のバッファ切り替えによって、外部出力イネーブル要求端子８と外部発振器出力端子２１の位置が逆になったとしても、正常に動作するため、発振器の配置の向きを考慮することなく実装できる。
【００５２】
［実施の形態の効果］
本発振器によれば、電源端子とグランド端子が逆実装されても、発振器用ＩＣ７の電源接続端子（Ｉ＿Ｖcc）に電源電圧が印加され、グランド接続端子（Ｉ＿ＧＮＤ）をグランドレベルに保持するダイオードブリッジ回路と、外部出力イネーブル要求端子８と外部発振器出力端子２１が逆実装されても、発振器用ＩＣ７の入力端子に外部出力イネーブル要求信号が入力され、発振器用ＩＣ７の出力端子からの発振信号が出力される論理ブリッジ回路を有するようにしているので、発振器の向きを考慮しないでユーザ基板に実装して正常に動作させることができる効果がある。
【産業上の利用可能性】
【００５３】
本発明は、搭載の向きの表示が難しい小型の形状で、たとえ逆向きに実装されても正常に動作する発振器に好適である。
【符号の説明】
【００５４】
１…外部電源供給端子、  ２，３，４，５…ダイオード、  ６…グランド端子、  ７…発振器用ＩＣ、  ８…外部出力イネーブル要求端子、  ９，１０，１３，１４，１６，１７，１９，２０…抵抗器、  １１，１２…ハイイネーブル付きバッファ、  １５，１８…ロウイネーブル付きバッファ、  ２１…外部発振器出力端子、  ２２…外部電源供給端子、  ２３…外部グランド端子、  ３０…昇圧部
【図１】
2019068214.tif 000003
【図２】
2019068214.tif 000004
【図３】
2019068214.tif 000005